(57)【要約】【課題】任意の１つの映像データを出力するモジュールに、リファレンス信号を供給することで装置内のリファレンス信号の共有ができる映像処理装置、映像処理システム、および、映像処理方法を提供することを課題とする。【解決手段】本発明は、マスタデコーダにて、同期信号発生器から供給されるリファレンス信号に基づいて、映像データを同期させる発生器同期信号を取得し、発生器同期信号を選択同期信号として選択し、内部バスを介してスレーブデコーダに送出し、選択同期信号に基づいて、映像データを出力させ、スレーブデコーダにて、マスタデコーダから送出される選択同期信号に基づいて、映像データを出力させる。【選択図】図２
2017092811.tif 000002
【特許請求の範囲】
【請求項１】
同期信号発生器に接続されたデコーダモジュールであるマスタデコーダと、前記同期信号発生器に接続されていない前記デコーダモジュールであるスレーブデコーダと、を備えた映像処理装置であって、
前記マスタデコーダは、
前記同期信号発生器から供給されるリファレンス信号に基づいて、映像データを同期させる発生器同期信号を取得する発生器同期信号取得手段と、
前記発生器同期信号を選択同期信号として選択し、内部バスを介して前記スレーブデコーダに送出する同期信号選択手段と、
前記選択同期信号に基づいて、前記映像データを出力させるマスタ出力制御手段と、
を備え、
前記スレーブデコーダは、
前記マスタデコーダから送出される前記選択同期信号に基づいて、前記映像データを出力させるスレーブ出力制御手段、
を備えたことを特徴とする、映像処理装置。
【請求項２】
前記マスタデコーダは、
前記発生器同期信号とは異なるマスタ同期信号を生成する同期信号生成手段、
を更に備え、
前記同期信号選択手段は、
前記発生器同期信号、または、前記マスタ同期信号を前記選択同期信号として選択し、前記内部バスを介して前記スレーブデコーダに送出する、請求項１に記載の映像処理装置。
【請求項３】
前記スレーブ出力制御手段は、
前記選択同期信号に基づいて、映像出力クロックおよびフレーム先頭を同期させて、前記映像データを出力させる、請求項１または２に記載の映像処理装置。
【請求項４】
前記マスタ出力制御手段は、
前記選択同期信号に基づいて、映像出力クロックおよびフレーム先頭を同期させて、前記映像データを出力させる、請求項１から３のいずれか一つに記載の映像処理装置。
【請求項５】
前記デコーダモジュールは、
前記映像データの映像フォーマットに基づいて、前記映像出力クロックを選択する映像出力クロック選択手段、
を更に備えた、請求項３または４に記載の映像処理装置。
【請求項６】
前記リファレンス信号は、
同期信号発生器に接続された前記映像データを撮影する撮影装置に、当該同期信号発生器から、供給されるリファレンス信号と一致する信号である、請求項１から５のいずれか一つに記載の映像処理装置。
【請求項７】
同期信号発生器に接続された映像データを撮影する撮影装置、に接続された送信装置、および、同期信号発生器に接続されたデコーダモジュールであるマスタデコーダと、前記同期信号発生器に接続されていない前記デコーダモジュールであるスレーブデコーダと、を備えた受信装置を通信可能に接続した映像処理システムであって、
前記送信装置は、
前記同期信号発生器から供給されるリファレンス信号から取得される発生器同期信号に基づいて、前記撮影装置から送出される前記映像データを取得する映像データ取得手段と、
前記映像データを、ネットワークを介して送信するネットワーク送信手段と、
を備え、
前記受信装置は、
前記映像データを前記ネットワークを介して受信するネットワーク受信手段と、
前記マスタデコーダに接続された前記同期信号発生器から供給されるリファレンス信号に基づいて、前記映像データを同期させる発生器同期信号を取得する発生器同期信号取得手段、
前記発生器同期信号を選択同期信号として選択し、内部バスを介して前記スレーブデコーダに送出する同期信号選択手段、および、
前記選択同期信号に基づいて、前記映像データを出力させるマスタ出力制御手段、
を備えた前記マスタデコーダと、
前記マスタデコーダから送出される前記選択同期信号に基づいて、映像データを出力させるスレーブ出力制御手段、
を備えた前記スレーブデコーダと、
を備えたことを特徴とする、映像処理システム。
【請求項８】
前記マスタデコーダは、
前記発生器同期信号とは異なるマスタ同期信号を生成する同期信号生成手段、
を更に備え、
前記同期信号選択手段は、
前記発生器同期信号、または、前記マスタ同期信号を前記選択同期信号として選択し、前記内部バスを介して前記スレーブデコーダに送出する、請求項７に記載の映像処理システム。
【請求項９】
前記スレーブ出力制御手段は、
前記選択同期信号に基づいて、映像出力クロックおよびフレーム先頭を同期させて、前記映像データを出力させる、請求項７または８に記載の映像処理システム。
【請求項１０】
前記マスタ出力制御手段は、
前記選択同期信号に基づいて、映像出力クロックおよびフレーム先頭を同期させて、前記映像データを出力させる、請求項７から９のいずれか一つに記載の映像処理システム。
【請求項１１】
前記デコーダモジュールは、
前記映像データの映像フォーマットに基づいて、前記映像出力クロックを選択する映像出力クロック選択手段、
を更に備えた、請求項９または１０に記載の映像処理システム。
【請求項１２】
前記受信装置に供給される前記リファレンス信号は、
前記撮影装置に供給される前記リファレンス信号と一致する信号である、請求項７から１１のいずれか一つに記載の映像処理システム。
【請求項１３】
同期信号発生器に接続されたデコーダモジュールであるマスタデコーダと、前記同期信号発生器に接続されていない前記デコーダモジュールであるスレーブデコーダと、を備えた映像処理装置において実行される映像処理方法であって、
前記マスタデコーダにおいて実行される、前記同期信号発生器から供給されるリファレンス信号に基づいて、映像データを同期させる発生器同期信号を取得する発生器同期信号取得ステップと、
前記マスタデコーダにおいて実行される、前記発生器同期信号を選択同期信号として選択し、内部バスを介して前記スレーブデコーダに送出する同期信号選択ステップと、
前記マスタデコーダにおいて実行される、前記選択同期信号に基づいて、前記映像データを出力させるマスタ出力制御ステップと、
前記スレーブデコーダにおいて実行される、前記マスタデコーダから送出される前記選択同期信号に基づいて、映像データを出力させるスレーブ出力制御ステップと、
を含むことを特徴とする、映像処理方法。
【請求項１４】
前記マスタデコーダにおいて実行される、前記発生器同期信号とは異なるマスタ同期信号を生成する同期信号生成ステップ、
を更に含み、
前記同期信号選択ステップにて、
前記発生器同期信号、または、前記マスタ同期信号を前記選択同期信号として選択し、前記内部バスを介して前記スレーブデコーダに送出する、請求項１３に記載の映像処理方法。
【請求項１５】
前記スレーブ出力制御ステップにて、
前記選択同期信号に基づいて、映像出力クロックおよびフレーム先頭を同期させて、前記映像データを出力させる、請求項１３または１４に記載の映像処理方法。
【請求項１６】
前記マスタ出力制御ステップにて、
前記選択同期信号に基づいて、映像出力クロックおよびフレーム先頭を同期させて、前記映像データを出力させる、請求項１３から１５のいずれか一つに記載の映像処理方法。
【請求項１７】
前記デコーダモジュールにおいて実行される、前記映像データの映像フォーマットに基づいて、前記映像出力クロックを選択する映像出力クロック選択ステップ、
を更に含む、請求項１５または１６に記載の映像処理方法。
【請求項１８】
前記リファレンス信号は、
同期信号発生器に接続された前記映像データを撮影する撮影装置に、当該同期信号発生器から、供給されるリファレンス信号と一致する信号である、請求項１３から１７のいずれか一つに記載の映像処理方法。
【発明の詳細な説明】
【技術分野】
【０００１】
本発明は、映像処理装置、映像処理システム、および、映像処理方法に関する。
【背景技術】
【０００２】
従来から、同期信号を選択する技術が開示されている。
【０００３】
ここで、複数本の信号線から任意の１本を選択して他の制御ボードに同期信号を送信し、制御ボード側は複数本の信号線のうち変化を検出した信号線を同期信号として選択設定する技術が開示されている（特許文献１を参照）。
【０００４】
また、複数の信号処理部の各々から出力されるビデオ信号のうちの１つから抽出した同期信号とネットワークを介して供給される時間情報に基づき生成した同期信号を選択し、出力する映像データを同期させる技術が開示されている（特許文献２を参照）。
【先行技術文献】
【特許文献】
【０００５】
【特許文献１】特開２００３−１１４７０７号公報
【特許文献２】特開２０１０−７４４９７号公報
【発明の概要】
【発明が解決しようとする課題】
【０００６】
しかしながら、従来の装置（特許文献１等）においては、装置外の同期信号発生器等からリファレンス信号の供給を受ける場合、映像データを出力する複数のモジュールそれぞれに同期信号発生器等を同軸ケーブル等を介して接続し、リファレンス信号の供給を行う必要があるという問題点を有していた。
【０００７】
本発明は、上記問題点に鑑みてなされたもので、任意の１つの映像データを出力するモジュールに、リファレンス信号を供給することで装置内のリファレンス信号の共有ができる映像処理装置、映像処理システム、および、映像処理方法を提供することを目的とする。
【課題を解決するための手段】
【０００８】
このような目的を達成するため、本発明に係る映像処理装置は、同期信号発生器に接続されたデコーダモジュールであるマスタデコーダと、前記同期信号発生器に接続されていない前記デコーダモジュールであるスレーブデコーダと、を備えた映像処理装置であって、前記マスタデコーダは、前記同期信号発生器から供給されるリファレンス信号に基づいて、映像データを同期させる発生器同期信号を取得する発生器同期信号取得手段と、前記発生器同期信号を選択同期信号として選択し、内部バスを介して前記スレーブデコーダに送出する同期信号選択手段と、前記選択同期信号に基づいて、前記映像データを出力させるマスタ出力制御手段と、を備え、前記スレーブデコーダは、前記マスタデコーダから送出される前記選択同期信号に基づいて、映像データを出力させるスレーブ出力制御手段、を備えたことを特徴とする。
【０００９】
また、本発明に係る映像処理システムは、同期信号発生器に接続された映像データを撮影する撮影装置、に接続された送信装置、および、同期信号発生器に接続されたデコーダモジュールであるマスタデコーダと、前記同期信号発生器に接続されていない前記デコーダモジュールであるスレーブデコーダと、を備えた受信装置を通信可能に接続した映像処理システムであって、前記送信装置は、前記同期信号発生器から供給されるリファレンス信号から取得される発生器同期信号に基づいて、前記撮影装置から送出される前記映像データを取得する映像データ取得手段と、前記映像データを、ネットワークを介して送信するネットワーク送信手段と、を備え、前記受信装置は、前記映像データを前記ネットワークを介して受信するネットワーク受信手段と、前記マスタデコーダに接続された前記同期信号発生器から供給されるリファレンス信号に基づいて、前記映像データを同期させる発生器同期信号を取得する発生器同期信号取得手段、前記発生器同期信号を選択同期信号として選択し、内部バスを介して前記スレーブデコーダに送出する同期信号選択手段、および、前記選択同期信号に基づいて、前記映像データを出力させるマスタ出力制御手段、を備えた前記マスタデコーダと、前記マスタデコーダから送出される前記選択同期信号に基づいて、前記映像データを出力させるスレーブ出力制御手段、を備えた前記スレーブデコーダと、を備えたことを特徴とする。
【００１０】
また、本発明に係る映像処理方法は、同期信号発生器に接続されたデコーダモジュールであるマスタデコーダと、前記同期信号発生器に接続されていない前記デコーダモジュールであるスレーブデコーダと、を備えた映像処理装置において実行される映像処理方法であって、前記マスタデコーダにおいて実行される、前記同期信号発生器から供給されるリファレンス信号に基づいて、映像データを同期させる発生器同期信号を取得する発生器同期信号取得ステップと、前記マスタデコーダにおいて実行される、前記発生器同期信号を選択同期信号として選択し、内部バスを介して前記スレーブデコーダに送出する同期信号選択ステップと、前記マスタデコーダにおいて実行される、前記選択同期信号に基づいて、前記映像データを出力させるマスタ出力制御ステップと、前記スレーブデコーダにおいて実行される、前記マスタデコーダから送出される前記選択同期信号に基づいて、映像データを出力させるスレーブ出力制御ステップと、を含むことを特徴とする。
【発明の効果】
【００１１】
この発明によれば、同軸ケーブル１本で装置内のリファレンス信号の共有を実現できる。すなわち、この発明によれば、任意の一つのデコーダモジュールにリファレンス信号を供給することで、装置に搭載する全デコーダモジュールから出力する映像データを同期させることができる。
【００１２】
また、この発明によれば、同軸ケーブル１本で装置内のリファレンス信号を共有でき、カメラ等からの１つの映像チャネルを、ネットワークを介して送受信することにより、１台の大型マルチ画面モニタ等へ映像の乱れなく表示することができる。
【図面の簡単な説明】
【００１３】
【図１】図１は、本実施形態に係る映像処理装置の構成の一例を示すブロック図である。
【図２】図２は、本実施形態における映像処理システムの構成の一例を示すハードウェア構成図である。
【図３】図３は、本実施形態の映像処理システムにおける処理の一例を示すフロー図である。
【図４】図４は、本実施形態の映像処理システムにおける処理の一例を示すフローチャートである。
【図５】図５は、従来の同期信号分配方式の一例を示す図である。
【図６】図６は、本実施形態の同期信号分配方式の一例を示す図である。
【図７】図７は、本実施形態における同期信号選択処理の一例を示す選択制御図である。
【図８】図８は、本実施形態の映像処理システムにおける処理の一例を示すフローチャートである。
【発明を実施するための形態】
【００１４】
以下に、本発明に係る映像処理装置、映像処理システム、および、映像処理方法の実施形態を図面に基づいて詳細に説明する。なお、この実施形態により本発明が限定されるものではない。
【００１５】
［本実施形態の構成］
以下、本発明の実施形態に係る映像処理装置１００の構成の一例について図１および図２を参照して説明し、その後、本実施形態の処理等について詳細に説明する。図１は、本実施形態に係る映像処理装置１００の構成の一例を示すブロック図である。
【００１６】
但し、以下に示す実施形態は、本発明の技術思想を具体化するための映像処理装置１００を例示するものであって、本発明をこの映像処理装置１００に特定することを意図するものではなく、請求の範囲に含まれるその他の実施形態の映像処理装置１００にも等しく適用し得るものである。
【００１７】
例えば、本実施形態で例示する映像処理装置１００における機能分散の形態は以下に限られず、同様の効果や機能を奏し得る範囲において、任意の単位で機能的または物理的に分散・統合して構成することができる。
【００１８】
まず、図１に示すように、映像処理装置１００は、概略的に、制御部１０２と記憶部１０６とを備えて構成される。これら映像処理装置１００の各部は任意の通信路（内部バス等）を介して通信可能に接続されている。また、映像処理装置１００は、ネットワーク３００を介して外部装置と通信可能に接続されていてもよい。
【００１９】
ここで、映像処理装置１００は、同期信号発生器２００に接続されたデコーダモジュールであるマスタデコーダと、同期信号発生器２００に接続されていないデコーダモジュールであるスレーブデコーダと、を備えていてもよい。
【００２０】
また、映像処理装置１００は、同期信号発生器２００に接続された映像データを撮影する撮影装置４００に接続されていてもよい。
【００２１】
また、映像処理装置１００は、更に、データの入出力（Ｉ／Ｏ）を行う機能を有する入出力部、入出力インターフェース部、および／または、通信インターフェース部を備えていてもよい（図示省略）。
【００２２】
ここで、入出力部は、例えば、キー入力部、タッチパネル、コントロールパッド（例えば、タッチパッド、および、ゲームパッド等）、マウス、キーボード、および、マイク等であってもよい。
【００２３】
また、入出力部は、アプリケーション等の（入出力）情報を表示する表示部（例えば、液晶または有機ＥＬ等から構成されるディスプレイ、モニタ、および、タッチパネル等）であってもよい。また、入出力部は、音声情報を音声として出力する音声出力部（例えば、スピーカ等）であってもよい。
【００２４】
また、入出力インターフェース部は、ＳＤＩ（Ｓｅｒｉａｌ  Ｄｉｇｉｔａｌ  Ｉｎｔｅｒｆａｃｅ）端子、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）端子、または、Ｄｉｓｐｌａｙ  ｐｏｒｔ端子等の映像入出力インターフェースであってもよい。
【００２５】
ここで、入出力インターフェース部を構成する入力ポートの先には、同期信号発生器２００、カメラ等の撮影装置４００、または、レコーダ等が接続され、入出力インターフェース部を構成する出力ポートの先には、出力装置（モニタ、または、ディスプレイ）５００、または、レコーダ等が接続されてもよい。
【００２６】
また、通信インターフェース部は、有線通信および／または無線通信（ＷｉＦｉ等）によりＩＰデータを送受信するためのネットワークインターフェース、または、Ｂｌｕｅｔｏｏｔｈ（登録商標）等によって無線通信を行うインターフェースであってもよい。
【００２７】
ここで、記憶部１０６は、各種のデータベース、テーブル、ファイル、および／または、バッファ（ダイレクトメモリアクセス（ＤＭＡ）バッファ等）などを格納する。
【００２８】
ここで、記憶部１０６は、映像データ、アンシラリ（ＡＮＣ）データ、および、パケット等を記憶していてもよい。また、記憶部１０６は、各種アプリケーションプログラム（例えば、ユーザアプリケーション等）を記憶していてもよい。
【００２９】
記憶部１０６は、ストレージ手段であり、例えばＲＡＭ・ＲＯＭ等のメモリ、ＨＤＤ（Ｈａｒｄ  Ｄｉｓｋ  Ｄｒｉｖｅ）のような固定ディスク装置、ＳＳＤ（Ｓｏｌｉｄ  Ｓｔａｔｅ  Ｄｒｉｖｅ）、フレキシブルディスク、および／または、光ディスク等を用いることができる。
【００３０】
記憶部１０６には、ＣＰＵ（Ｃｅｎｔｒａｌ  Ｐｒｏｃｅｓｓｉｎｇ  Ｕｎｉｔ）に命令を与え各種処理を行うためのコンピュータプログラム等が記録されていてもよい。
【００３１】
また、制御部１０２は、映像処理装置１００を統括的に制御するＣＰＵ等からなる。制御部１０２は、制御プログラムと各種の処理手順等を規定したプログラムと所要データとを格納するための内部メモリを有し、これらプログラムに基づいて種々の処理を実行するための情報処理を行う。
【００３２】
ここで、制御部１０２は、機能概念的に、映像データ取得部１０２ａ、ネットワーク送信部１０２ｂ、ネットワーク受信部１０２ｃ、発生器同期信号取得部１０２ｄ、同期信号生成部１０２ｅ、同期信号選択部１０２ｆ、映像出力クロック選択部１０２ｇ、および、出力制御部１０２ｈを備える。
【００３３】
映像データ取得部１０２ａは、映像データを取得する。ここで、映像データ取得部１０２ａは、同期信号発生器２００等から供給されるリファレンス信号から取得される発生器同期信号に基づいて、撮影装置４００から送出される映像データを取得してもよい。
【００３４】
ここで、リファレンス信号は、複数の放送映像機器が同期するための基準信号である共通リファレンス信号であってもよい。
【００３５】
ネットワーク送信部１０２ｂは、映像データを、ネットワーク３００を介して送信する。
【００３６】
ネットワーク受信部１０２ｃは、映像データをネットワーク３００を介して受信する。
【００３７】
発生器同期信号取得部１０２ｄは、映像データを同期させる発生器同期信号を取得する。ここで、発生器同期信号取得部１０２ｄは、同期信号発生器２００から供給されるリファレンス信号に基づいて、映像データを同期させる発生器同期信号を取得してもよい。
【００３８】
ここで、リファレンス信号は、同期信号発生器２００に接続された映像データを撮影する撮影装置４００に、当該同期信号発生器２００から、供給されるリファレンス信号と一致する信号であってもよい。
【００３９】
同期信号生成部１０２ｅは、発生器同期信号とは異なるマスタ同期信号を生成する。
【００４０】
同期信号選択部１０２ｆは、発生器同期信号を選択同期信号として選択し、内部バスを介して他のデコーダモジュール（スレーブデコーダ等）に送出する。ここで、同期信号選択部１０２ｆは、選択同期信号を内部バスを介して受信してもよい。
【００４１】
また、同期信号選択部１０２ｆは、発生器同期信号、または、マスタ同期信号を選択同期信号として選択し、内部バスを介して他のデコーダモジュール（スレーブデコーダ等）に送出してもよい。
【００４２】
映像出力クロック選択部１０２ｇは、映像データの映像フォーマットに基づいて、映像出力クロックを選択する。
【００４３】
出力制御部１０２ｈは、映像データを出力させる。ここで、出力制御部１０２ｈは、選択同期信号に基づいて、映像データを出力させてもよい。また、出力制御部１０２ｈは、他のデコーダモジュール（マスタデコーダ等）から送出される選択同期信号に基づいて、映像データを出力させてもよい。
【００４４】
また、出力制御部１０２ｈは、選択同期信号に基づいて、映像出力クロックおよびフレーム先頭を同期させて、映像データを出力させてもよい。
【００４５】
次に、図２を参照して、本実施形態における映像処理システムのハードウェア構成の一例について説明する。図２は、本実施形態における映像処理システムの構成の一例を示すハードウェア構成図である。
【００４６】
図２に示すように、映像処理システムは、概略的に、映像処理装置（送信装置）１００−１と、映像処理装置（受信装置）１００−２と、がネットワーク３００を介して通信可能に接続して構成される。
【００４７】
ここで、映像処理装置１００は、モジュール構成を備えており、モジュールを変更することで、映像／ＡＮＣデータの入力を受け、ネットワーク３００へ送信する構成と、受信した映像／ＡＮＣデータをモニタ５００等へ出力する構成と、を切り替えることができる。
【００４８】
すなわち、映像処理装置１００は、映像／ＡＮＣデータを撮影装置（カメラ）４００から取得（受信）するエンコーダモジュール（ＥＮＣ）と、ネットワーク３００を介してデータを送受信するＮＩＣ（Ｎｅｔｗｏｒｋ  Ｉｎｔｅｒｆａｃｅ  Ｃｏｎｔｒｏｌｌｅｒ）モジュール（ＮＩＣ）、および／または、出力装置（モニタ）５００へ映像／ＡＮＣデータを出力するデコーダモジュール（ＤＥＣ）を選択的に備えていてもよい。
【００４９】
これにより、映像処理システムは、圧縮または非圧縮の映像データをネットワーク３００経由で送受信することで、カメラ４００等で撮影した映像データを遠隔地のディスプレイ５００等へ出力することができる。
【００５０】
また、映像処理装置１００は、これらのモジュール間を中継ユニットを介して内部バス経由で高速にインターコネクトする機構を備えており、モジュール間のインターコネクトを実現するために、ファームウェア等が動作するＣＰＵを介してＰＣＩｅ  Ｓｗｉｔｃｈとメインメモリとが接続されている。
【００５１】
各モジュールは、ＰＣＩｅ  Ｓｗｉｔｃｈとメインメモリとを介して、お互いにインターコネクトされ、各モジュールとメインメモリとの間でデータをやり取りしてもよい。
【００５２】
ここで、図２を参照して、ＥＮＣのハードウェア構成について説明する。
【００５３】
ＤＥＭＵＸ（映像データ取得部１０２ａ）は、カメラ４００等からのフレーム画像データ（映像／ＡＮＣデータ）を受信し、映像データとＡＮＣデータとに分離する。
【００５４】
Ｊ２Ｋ  Ｅｎｃｏｄｅｒ（映像データ取得部１０２ａ）は、ＤＥＭＵＸから出力された映像データをＪＰＥＧ２０００方式で圧縮し、Ｊ２Ｋ  Ｓｔｒｅａｍを出力する。
【００５５】
ＭＰＥＧ２−ＴＳ（Ｖｉｄｅｏ）（映像データ取得部１０２ａ）は、Ｊ２Ｋ  Ｅｎｃｏｄｅｒから出力されたＪ２Ｋ  Ｓｔｒｅａｍを、ＭＰＥＧ２−ＴＳ（Ｔｒａｎｓｐｏｒｔ  Ｓｔｒｅａｍ）パケットとして出力する。
【００５６】
ＭＰＥＧ２−ＴＳ（ＡＮＣ）（映像データ取得部１０２ａ）は、ＤＥＭＵＸから出力されたＡＮＣデータを、ＭＰＥＧ２−ＴＳパケットとして出力する。
【００５７】
ＭＵＸ（映像データ取得部１０２ａ）は、ＭＰＥＧ２−ＴＳ（Ｖｉｄｅｏ）から出力されたＭＰＥＧ２−ＴＳパケットと、ＭＰＥＧ２−ＴＳ（ＡＮＣ）から出力されたＭＰＥＧ２−ＴＳパケットを配置し、出力する。
【００５８】
ＤＭＡ  ＲＸ（映像データ取得部１０２ａ）は、ＭＵＸから出力されたＭＰＥＧ２−ＴＳパケットを、メインメモリへ書き込む。
【００５９】
ここで、図２に示すように、ＥＮＣに接続されているカメラ４００は、同軸ケーブル等を介して接続された同期信号発生器２００から供給されるリファレンス信号から取得される発生器同期信号に基づいて、フレーム画像データをＥＮＣに送出している。
【００６０】
ここで、同期信号発生器２００は、ＳＧ−７８１１（アストロデザイン株式会社）、または、ＴＧ−７００（株式会社ＴＦＦ）等であってもよい。
【００６１】
また、図２を参照して、ＮＩＣのハードウェア構成について説明する。
【００６２】
ＤＥＭＵＸ  ＴＸ（ＰＣＩｅ）（ネットワーク送信部１０２ｂ）は、ＰＣＩｅ  Ｓｗｉｔｃｈから出力されるＰＣＩｅパケットを受信および解析し、ＰＣＩｅパケットの宛先が示すＤＭＡ  ＴＸへ出力する。
【００６３】
ＤＭＡ  ＴＸ（ネットワーク送信部１０２ｂ）は、メインメモリから、ＭＰＥＧ２−ＴＳパケットを読み出し、ＳＭＰＴＥ２０２２−１／−２  ＴＸへ出力する。
【００６４】
ＳＭＰＴＥ２０２２−１／−２  ＴＸ（ネットワーク送信部１０２ｂ）は、ＤＭＡ  ＴＸからＭＰＥＧ２−ＴＳパケットを受け、ＳＭＰＴＥ２０２２−１／−２に準拠したデータへカプセル化（ＩＰ／ＵＤＰ／ＲＴＰヘッダの付与）し、Ａｒｂｉｔｅｒ  ＴＸへ出力する。
【００６５】
Ａｒｂｉｔｅｒ  ＴＸ（ネットワーク送信部１０２ｂ）は、各ＳＭＰＴＥ２０２２−１／−２  ＴＸからのデータを受け、調停し、１ＧｂＥ／１０ＧｂＥ  ＴＸへ出力する。
【００６６】
１ＧｂＥ／１０ＧｂＥ  ＴＸ（ネットワーク送信部１０２ｂ）は、Ａｒｂｉｔｅｒ  ＴＸからのフレームを受け、外部のネットワーク３００へ出力する。
【００６７】
１ＧｂＥ／１０ＧｂＥ  ＲＸ（ネットワーク受信部１０２ｃ）は、外部のネットワーク３００からデータを受信し、ＤＥＭＵＸ  ＲＸ（１ＧｂＥ／１０ＧｂＥ）へ出力する。
【００６８】
ＤＥＭＵＸ  ＲＸ（１０ＧｂＥ／１ＧｂＥ）（ネットワーク受信部１０２ｃ）は、１ＧｂＥ／１０ＧｂＥ  ＲＸからのフレームを受信および解析し、フレームの宛先が示すＳＭＰＴＥ２０２２−１／−２  ＲＸへ出力する。
【００６９】
ＳＭＰＴＥ２０２２−１／−２  ＲＸ（ネットワーク受信部１０２ｃ）は、ＤＥＭＵＸ  ＲＸ（１ＧｂＥ／１０ＧｂＥ）からのフレームを受信し、ＭＰＥＧ２−ＴＳパケットを抽出し、ＤＭＡ  ＲＸへ出力する。
【００７０】
ＤＭＡ  ＲＸ（ネットワーク受信部１０２ｃ）は、ＳＭＰＴＥ２０２２−１／−２  ＲＸからＭＰＥＧ２−ＴＳパケットを受け、Ａｒｂｉｔｅｒ  ＲＸを経由し、メインメモリへ書き込む。
【００７１】
Ａｒｂｉｔｅｒ  ＲＸ（ネットワーク受信部１０２ｃ）は、複数のＤＭＡ  ＲＸからメインメモリへの書き込み要求を調停し、シリアル化し、ＰＣＩｅ  Ｓｗｉｔｃｈへ出力する。
【００７２】
また、図２を参照して、ＤＥＣのハードウェア構成について説明する。
【００７３】
ＤＭＡ  ＴＸ（出力制御部１０２ｈ）は、メインメモリから、ＭＰＥＧ２−ＴＳパケットを読み出し、ＤＥＭＵＸへ出力する。
【００７４】
ＤＥＭＵＸ（出力制御部１０２ｈ）は、ＭＰＥＧ２−ＴＳパケットを解析し、ＭＰＥＧ２−ＴＳ（Ｖｉｄｅｏ）パケットとＭＰＥＧ２−ＴＳ（ＡＮＣ）パケットを抽出する。
【００７５】
ＤＥＭＵＸは、ＭＰＥＧ２−ＴＳ（Ｖｉｄｅｏ）パケットをＭＰＥＧ２−ＴＳ（Ｖｉｄｅｏ）へ出力し、ＭＰＥＧ２−ＴＳ（ＡＮＣ）パケットをＭＰＥＧ２−ＴＳ（ＡＮＣ）へ出力する。
【００７６】
ＭＰＥＧ２−ＴＳ（Ｖｉｄｅｏ）（出力制御部１０２ｈ）は、ＤＥＭＵＸからのＭＰＥＧ２−ＴＳ（Ｖｉｄｅｏ）パケットを受け、Ｊ２Ｋ  Ｓｔｒｅａｍへ変換し、Ｊ２Ｋ  Ｄｅｃｏｄｅｒへ出力する。
【００７７】
Ｊ２Ｋ  Ｄｅｃｏｄｅｒ（出力制御部１０２ｈ）は、ＭＰＥＧ２−ＴＳ（Ｖｉｄｅｏ）からのＪ２Ｋ  Ｓｔｒｅａｍを受け、映像データへ変換し、ＭＵＸへ出力する。
【００７８】
ＭＰＥＧ２−ＴＳ（ＡＮＣ）（出力制御部１０２ｈ）は、ＤＥＭＵＸからのＭＰＥＧ２−ＴＳ（ＡＮＣ）パケットを受け、ＡＮＣデータへ変換し、ＭＵＸへ出力する。
【００７９】
ＭＵＸ（出力制御部１０２ｈ）は、Ｊ２Ｋ  Ｄｅｃｏｄｅｒからの映像データとＰＥＳ（ＡＮＣ）からのＡＮＣデータとを受け、映像データとＡＮＣデータとを多重し、同期信号に基づいて、外部のモニタ（マルチ画面モニタ等）５００に出力させる。
【００８０】
Ｓｙｎｃ  Ｓｅｐａｒａｔｏｒ（発生器同期信号取得部１０２ｄ）は、同軸ケーブル等を介してＤＥＣに接続された同期信号発生器２００から供給されるリファレンス信号に基づいて、映像データを同期させる発生器同期信号を取得する。
【００８１】
ＬＶＤＳ  Ｔｒａｎｓｃｅｉｖｅｒ（同期信号選択部１０２ｆ）は、同期信号を内部バスを介して他のデコーダモジュール（スレーブデコーダ等）に送出する。
【００８２】
ここで、図２に示すように、従来、ネットワーク３００を介した映像フレーム表示において、カメラ４００で撮影したある同一フレーム内の映像データの先頭フレームが、チャネル間同期、および／または、モジュール間同期されていない場合、マルチ画面モニタ５００に表示される映像データは、乱れてしまうことがあった。
【００８３】
すなわち、図２に示すように、送信装置１００−１がＥＮＣ×１台、受信装置１００−２がＤＥＣ×３台を搭載するシステムにおいては、１台のカメラ４００で撮影した映像データ（フレーム画像（２×２面）データ）を、ＤＥＣ×３台から同一の映像フレームとして出力させて、マルチ画面モニタ５００で表示させている。
【００８４】
ただし、図２に示すように、同期信号発生器２００等が出力するリファレンス信号（共通リファレンス信号）の供給されないＤＥＣ（例えば、ＤＥＣ＃２等）から出力される映像が同期されない場合、フレーム画像データ（フレーム画像（６×２面）データ）の一部映像は、乱れてしまうことがあった（例えば、ｃｈ−Ｊ乃至ｃｈ−Ｍが出力されない等）。
【００８５】
そこで、本実施形態の映像処理システムにおいては、受信装置１００−２の任意の１つのＤＥＣにリファレンス信号を供給することで、装置内リファレンス共有ができ、複数のＤＥＣから出力する映像データを同期させるように制御している。
【００８６】
［本実施形態の処理］
上述した構成の映像処理システムで実行される処理の一例について、図３乃至図８を参照して説明する。図３は、本実施形態の映像処理システムにおける処理の一例を示すフロー図である。図４は、本実施形態の映像処理システムにおける処理の一例を示すフローチャートである。
【００８７】
ここで、図３および図４に示すように、まず、同期信号発生器２００＃１は、撮影現場のカメラ４００＃１乃至＃ｎへリファレンス信号を送出する。
【００８８】
そして、カメラ４００＃１乃至カメラ４００＃ｎは、リファレンス信号に基づいて、映像データを同期させる発生器同期信号を取得する（ステップＳＡ−１）。
【００８９】
そして、カメラ４００＃１乃至カメラ４００＃ｎは、発生器同期信号に基づいて、撮影した映像データを、カメラ４００＃１乃至カメラ４００＃ｎから送信装置１００−１＃１乃至送信装置１００−１＃ｎへそれぞれ送出する。
【００９０】
そして、送信装置１００−１＃１乃至送信装置１００−１＃ｎのＥＮＣは、映像データを取得する（ステップＳＡ−２）。
【００９１】
そして、送信装置１００−１＃１乃至送信装置１００−１＃ｎのＮＩＣは、ネットワーク（ＩＰネットワーク）３００経由で、映像データを、送信装置１００−１＃１乃至送信装置１００−１＃ｎから受信装置１００−２＃１乃至受信装置１００−２＃ｎへそれぞれ送信する。
【００９２】
そして、受信装置１００−２＃１乃至受信装置１００−２＃ｎのＮＩＣは、映像データを受信する（ステップＳＡ−３）。
【００９３】
すなわち、複数のカメラ４００で撮影した映像データを各送信装置１００−１からネットワーク３００経由で各受信装置１００−２へ送出してもよい。
【００９４】
そして、同期信号発生器２００＃２は、中継車またはスタジオの受信装置１００−２＃１乃至受信装置１００−２＃ｎ、および、スイッチャへリファレンス信号を送出する（ステップＳＡ−４）。
【００９５】
そして、受信装置１００−２＃１乃至受信装置１００−２＃ｎのマスタＤＥＣは、同期信号発生器２００＃２から供給されるリファレンス信号に基づいて、映像データを同期させる発生器同期信号を取得し、スレーブＤＥＣ＃１およびスレーブＤＥＣ＃２に発生器同期信号を分配する。
【００９６】
そして、受信装置１００−２＃１乃至受信装置１００−２＃ｎのマスタＤＥＣ、スレーブＤＥＣ＃１およびスレーブＤＥＣ＃２は、発生器同期信号に基づいて、スイッチャへ映像データを送出する（ステップＳＡ−５）。
【００９７】
ここで、図５および図６を参照して、本実施形態における同期信号分配方式の一例について説明する。図５は、従来の同期信号分配方式の一例を示す図である。図６は、本実施形態の同期信号分配方式の一例を示す図である。
【００９８】
図５に示すように、従来は、同期信号発生器２００等から全てのＤＥＣに対して、太く重い同軸ケーブルを接続し、リファレンス信号の供給を行っていた。すなわち、従来は、同期ユニット毎に外部機器と接続する同軸ケーブルが必要であった。
【００９９】
一方、図６に示すように、本実施形態においては、同期信号発生器２００等から同軸ケーブル１本で装置内でリファレンス信号を共有できるように、中継ユニットを介してリファレンス信号を内部バス経由で分配するように基板配線を行っている。
【０１００】
すなわち、本実施形態においては、１ユニットのみで同軸ケーブルを接続すればよい。これにより、本実施形態においては、同期信号を内部バス経由で他のＤＥＣに分配できる。
【０１０１】
図３および図４に戻り、スイッチャは、選択された映像データをディスプレイ５００へ送出し（ステップＳＡ−６）、処理を終了する。
【０１０２】
すなわち、スイッチャは、複数の入力映像データからディスプレイ５００へ出力する映像データを切り替えており、同期信号発生器２００から各受信装置１００−２とスイッチャとへリファレンス信号が供給されることで、スイッチャから出力される映像データは、全て同期がとれる。
【０１０３】
ここで、図７および図８を参照して、本実施形態における同期信号選択処理の一例について説明する。図７は、本実施形態における同期信号選択処理の一例を示す選択制御図である。図８は、本実施形態の映像処理システムにおける処理の一例を示すフローチャートである。
【０１０４】
図７および図８に示すように、まず、受信装置１００−２のＤＥＣ（制御部１０２）は、同期信号発生器２００が接続されている（自身がマスタＤＥＣ）か否かを判定する（ステップＳＢ−１）。
【０１０５】
そして、受信装置１００−２のスレーブＤＥＣ＃１乃至スレーブＤＥＣ＃ｎ（制御部１０２）は、同期信号発生器２００が接続されていないと判定した場合（ステップＳＢ−１：Ｎｏ）、処理をステップＳＢ−１３に移行させる。
【０１０６】
一方、受信装置１００−２のマスタＤＥＣ（制御部１０２）は、同期信号発生器２００が接続されていると判定した場合（ステップＳＢ−１：Ｙｅｓ）、処理をステップＳＢ−２に移行させる。
【０１０７】
そして、受信装置１００−２のマスタＤＥＣのシンクセパレータ（発生器同期信号取得部１０２ｄ）は、同期信号発生器２００から送出されるリファレンス信号に基づいて、映像データを同期させるＨＶＦ同期信号（発生器同期信号）を取得し（ステップＳＢ−２）、処理をステップＳＢ−３、および、ステップＳＢ−１０に移行させる。
【０１０８】
すなわち、マスタＤＥＣのシンクセパレータは、同期信号発生器２００より供給されるリファレンス信号から、タイミングデータであるＨ（水平ラインの開始）、Ｖ（フィールドの開始）、Ｆ（新フレームの開始）同期信号を抽出してもよい。
【０１０９】
そして、受信装置１００−２のマスタＤＥＣのシンクセパレータは、同期信号セレクタ１へＨＶＦ同期信号（発生器同期信号）を送出する（ステップＳＢ−３）。
【０１１０】
そして、受信装置１００−２の同期信号選択レジスタ（同期信号選択部１０２ｆ）は、シンクセパレータから同期信号セレクタ１へ供給されるＨＶＦ同期信号（発生器同期信号）を選択する（ステップＳＢ−４）。
【０１１１】
ここで、ＤＥＣの同期信号選択レジスタは、ＧＥＮＬＯＣＫへ入力するＨＶＦ同期信号としてシンクセパレータから送出されるＨＶＦ同期信号、または、内部バスでマスタＤＥＣから送出されるＨＶＦ同期信号のいずれかを選択してもよい。
【０１１２】
すなわち、本実施形態においては、同期信号が供給されるパスを選択制御してもよい。
【０１１３】
そして、受信装置１００−２のマスタＤＥＣの同期信号セレクタ１（同期信号選択部１０２ｆ）は、ＧＥＮＬＯＣＫへＨＶＦ同期信号（発生器同期信号）を送出する（ステップＳＢ−５）。
【０１１４】
そして、受信装置１００−２のマスタＤＥＣのＧＥＮＬＯＣＫ（制御部１０２）は、映像データに同期させるクロックを出力する（ステップＳＢ−６）。
【０１１５】
ここで、ＤＥＣのＧＥＮＬＯＣＫモード選択レジスタにより選択されたＧＥＮＬＯＣＫモードに基づき、ＧＥＮＬＯＣＫは、映像データに同期させるクロックを出力してもよい。
【０１１６】
具体的には、外部からリファレンス信号が供給される場合、マスタＤＥＣおよびスレーブＤＥＣ＃１乃至スレーブＤＥＣ＃ｎは、ＧＥＮＬＯＣＫロックモード（外部同期）で動作してもよい。
【０１１７】
また、外部からリファレンス信号が供給されない場合、マスタＤＥＣは、ＧＥＮＬＯＣＫ自走モード（外部からの信号未使用）で動作し、スレーブＤＥＣ＃１乃至スレーブＤＥＣ＃ｎは、ＧＥＮＬＯＣＫロックモードで動作してもよい。
【０１１８】
そして、受信装置１００−２のマスタＤＥＣの周波数選択レジスタ（映像出力クロック選択部１０２ｇ）は、映像フォーマットに適したクロック周波数を選択し（ステップＳＢ−７）、処理をステップＳＢ−８、および、ステップＳＢ−９に移行させる。
【０１１９】
すなわち、周波数選択レジスタは、映像フォーマットに適した１４８．５ＭＨｚ、または、１４８．３５ＭＨｚ等のクロック周波数を選択してもよい。
【０１２０】
そして、受信装置１００−２のマスタＤＥＣのＨＶＦカウンタ（同期信号生成部１０２ｅ）は、ＧＥＮＬＯＣＫから出力されたクロックから、ＨＶＦ同期信号（マスタ同期信号）を生成し、同期信号セレクタ２へＨＶＦ同期信号（マスタ同期信号）を送出し（ステップＳＢ−８）、処理をステップＳＢ−１１に移行させる。
【０１２１】
また、受信装置１００−２のマスタＤＥＣ（出力制御部１０２ｈ）は、クロックと出力映像のフレーム先頭とを同期させて、映像データを（マルチ画面モニタ５００等に）出力させ（ステップＳＢ−９）、処理を終了する。
【０１２２】
また、受信装置１００−２のマスタＤＥＣのシンクセパレータは、同期信号セレクタ２へＨＶＦ同期信号（発生器同期信号）を送出する（ステップＳＢ−１０）。
【０１２３】
そして、受信装置１００−２のマスタＤＥＣの同期信号セレクタ２（同期信号選択部１０２ｆ）は、スレーブＤＥＣ＃１乃至スレーブＤＥＣ＃ｎへ送出する、発生器同期信号またはマスタ同期信号いずれかのＨＶＦ同期信号（選択同期信号）を選択する（ステップＳＢ−１１）。
【０１２４】
すなわち、マスタＤＥＣの同期信号セレクタ２は、スレーブＤＥＣへ送出する同期信号をシンクセパレータから送出されるＨＶＦ同期信号、または、ＧＥＮＬＯＣＫ自走モードで出力するクロックからＨＶＦカウンタで生成されるＨＶＦ同期信号のいずれかを選択してもよい。
【０１２５】
そして、受信装置１００−２のマスタＤＥＣのＬＶＤＳ  Ｔｒａｎｓｃｅｉｖｅｒ（同期信号選択部１０２ｆ）は、同期信号セレクタ２から送出されるＨＶＦ同期信号を、スレーブＤＥＣ＃１乃至スレーブＤＥＣ＃ｎへ内部バスを介して送出し（ステップＳＢ−１２）、処理を終了する。
【０１２６】
一方、受信装置１００−２のスレーブＤＥＣ＃１乃至スレーブＤＥＣ＃ｎのＬＶＤＳ  Ｔｒａｎｓｃｅｉｖｅｒ（同期信号選択部１０２ｆ）は、内部バスを介してマスタＤＥＣから送出されたＨＶＦ同期信号（選択同期信号）を受信した場合、同期信号セレクタ１へＨＶＦ同期信号（選択同期信号）を送出する（ステップＳＢ−１３）。
【０１２７】
そして、受信装置１００−２のスレーブＤＥＣ＃１乃至スレーブＤＥＣ＃ｎの同期信号選択レジスタ（同期信号選択部１０２ｆ）は、マスタＤＥＣから供給されるＨＶＦ同期信号（選択同期信号）を選択する（ステップＳＢ−１４）。
【０１２８】
そして、受信装置１００−２のスレーブＤＥＣ＃１乃至スレーブＤＥＣ＃ｎの同期信号セレクタ１（同期信号選択部１０２ｆ）は、ＧＥＮＬＯＣＫへＨＶＦ同期信号（選択同期信号）を送出する（ステップＳＢ−１５）。
【０１２９】
そして、受信装置１００−２のスレーブＤＥＣ＃１乃至スレーブＤＥＣ＃ｎのＧＥＮＬＯＣＫ（制御部１０２）は、映像データに同期させるクロックを出力する（ステップＳＢ−１６）。
【０１３０】
そして、受信装置１００−２のスレーブＤＥＣ＃１乃至スレーブＤＥＣ＃ｎの周波数選択レジスタ（映像出力クロック選択部１０２ｇ）は、映像フォーマットに適したクロック周波数を選択する（ステップＳＢ−１７）。
【０１３１】
そして、受信装置１００−２のスレーブＤＥＣ＃１乃至スレーブＤＥＣ＃ｎ（出力制御部１０２ｈ）は、クロックと出力映像のフレーム先頭とを同期させて、映像データを（マルチ画面モニタ５００等に）出力させ（ステップＳＢ−１８）、処理を終了する。
【０１３２】
このように、本実施形態においては、外部からリファレンス信号が供給されなくても、マスタＤＥＣをＧＥＮＬＯＣＫ自走モードにし、スレーブＤＥＣ＃１乃至スレーブＤＥＣ＃ｎをＧＥＮＬＯＣＫロックモードにすることで、マスタＤＥＣとスレーブＤＥＣ＃１乃至スレーブＤＥＣ＃ｎとを、マスタＤＥＣから出力するＨＶＦ同期信号で同期させることができる。
【０１３３】
すなわち、外部からリファレンス信号が供給される場合だけでなく、外部からリファレンス信号が供給されない場合でも、マスタＤＥＣは、ＧＥＮＬＯＣＫ自走モードにすることで、複数のＤＥＣユニットから出力する映像データを同期させることができる。
【０１３４】
このように、受信装置１００−２は、カメラ４００等の映像を生成する装置ではないため、カメラ４００等で撮影した映像データとディスプレイへ出力される映像データとの同期をとるには、同期信号発生器２００およびマスタＤＥＣからのＨＶＦ同期信号がＧＥＮＬＯＣＫに供給される事が必要となっている。
【０１３５】
なお、従来、ＤＥＣを複数（例えば、３台等）搭載する装置において、複数のＤＥＣから出力される映像データを同一の映像フレームとして表示するものはあった。
【０１３６】
このような場合、装置に搭載する全てのＤＥＣそれぞれに接続した同期信号発生器２００等からリファレンス信号を供給し、リファレンス信号からＨＶＦ同期信号を抽出し、映像データのフレーム先頭を同期させて映像をディスプレイ５００等へ出力する必要があった。
【０１３７】
そこで、従来から、同期信号発生器２００等から任意の１つのＤＥＣにリファレンス信号を供給する構成において、当該１つのＤＥＣから出力する映像データと他のＤＥＣから出力する映像データとを同期させる機構が必要とされていた。
【０１３８】
そこで、本実施形態においては、中継ユニットにインターフェースコネクタを設け、各ＤＥＣ間を内部バスで接続することにより、複数のＤＥＣを搭載する情報処理装置１００においても、任意の１つのＤＥＣにリファレンス信号を供給すれば、装置内の全てのＤＥＣに同期信号を分配できるようにしている。
【０１３９】
また、本実施形態において、同期信号発生器２００等から同軸ケーブルを介してリファレンス信号を受信するＤＥＣは、シンクセパレータから出力する同期信号を選択し、映像データの出力を同期制御でき、且つ、内部バス経由で他のＤＥＣに同期信号を分配できるようにしている。
【０１４０】
また、本実施形態においては、同期信号発生器２００等に接続されていないＤＥＣは、内部バス経由で供給される同期信号を選択し、映像データの出力を同期制御できるようにしている。
【０１４１】
［他の実施形態］
さて、これまで本発明の実施形態について説明したが、本発明は、上述した実施形態以外にも、請求の範囲に記載した技術的思想の範囲内において種々の異なる実施形態にて実施されてよいものである。
【０１４２】
例えば、映像処理装置１００は、スタンドアローンの形態で処理を行ってもよく、クライアント端末（映像処理装置１００とは別筐体である）からの要求に応じて処理を行い、その処理結果を当該クライアント端末に返却するようにしてもよい。
【０１４３】
また、実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【０１４４】
このほか、明細書中および図面中で示した処理手順、制御手順、具体的名称、各処理の登録データもしくは検索条件等のパラメータを含む情報、画面例、または、データベース構成については、特記する場合を除いて任意に変更することができる。
【０１４５】
また、映像処理装置１００に関して、図示の各構成要素は機能概念的なものであり、必ずしも物理的に図示の如く構成されていることを要しない。
【０１４６】
例えば、映像処理装置１００の各装置が備える処理機能、特に制御部１０２にて行われる各処理機能については、その全部または任意の一部を、ＣＰＵおよび当該ＣＰＵにて解釈実行されるプログラムにて実現してもよく、また、ワイヤードロジックによるハードウェアとして実現してもよい。
【０１４７】
尚、プログラムは、後述する、コンピュータに本発明に係る方法を実行させるためのプログラム化された命令を含む、一時的でないコンピュータ読み取り可能な記録媒体に記録されており、必要に応じて映像処理装置１００に機械的に読み取られる。すなわち、ＲＯＭまたはＨＤＤなどの記憶部１０６などには、ＯＳ（Ｏｐｅｒａｔｉｎｇ  Ｓｙｓｔｅｍ）と協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【０１４８】
また、このコンピュータプログラムは、映像処理装置１００に対して任意のネットワークを介して接続されたアプリケーションプログラムサーバに記憶されていてもよく、必要に応じてその全部または一部をダウンロードすることも可能である。
【０１４９】
また、本発明に係るプログラムを、コンピュータ読み取り可能な記録媒体に格納してもよく、また、プログラム製品として構成することもできる。ここで、この「記録媒体」とは、メモリーカード、ＵＳＢメモリ、ＳＤカード、フレキシブルディスク、光磁気ディスク、ＲＯＭ、ＥＰＲＯＭ、ＥＥＰＲＯＭ、ＣＤ−ＲＯＭ、ＭＯ、ＤＶＤ、および、Ｂｌｕ−ｒａｙ（登録商標）  Ｄｉｓｃ等の任意の「可搬用の物理媒体」を含むものとする。
【０１５０】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳに代表される別個のプログラムと協働してその機能を達成するものをも含む。なお、実施形態に示した各装置において記録媒体を読み取るための具体的な構成、読み取り手順、あるいは、読み取り後のインストール手順等については、周知の構成や手順を用いることができる。
【０１５１】
記憶部１０６に格納される各種のデータベース等は、ＲＡＭもしくはＲＯＭ等のメモリ装置、ハードディスク等の固定ディスク装置、フレキシブルディスク、および／または、光ディスク等のストレージ手段であり、各種処理やウェブサイト提供に用いる各種のプログラム、テーブル、データベース、および／または、ウェブページ用ファイル等を格納してもよい。
【０１５２】
また、映像処理装置１００は、既知のパーソナルコンピュータ、ワークステーション等の情報処理装置として構成してもよく、また、該情報処理装置に任意の周辺装置を接続して構成してもよい。また、映像処理装置１００は、該情報処理装置に本発明の方法を実現させるソフトウェア（プログラム、データ等を含む）を実装することにより実現してもよい。
【０１５３】
更に、装置の分散・統合の具体的形態は図示するものに限られず、その全部または一部を、各種の付加等に応じて、または、機能負荷に応じて、任意の単位で機能的または物理的に分散・統合して構成することができる。すなわち、上述した実施形態を任意に組み合わせて実施してもよく、実施形態を選択的に実施してもよい。
【産業上の利用可能性】
【０１５４】
以上のように、映像処理装置、映像処理システム、および、映像処理方法は、産業上の多くの分野、特に放送映像を扱う映像処理分野で実施することができ、極めて有用である。
【符号の説明】
【０１５５】
１００  映像処理装置
１００−１  送信装置
１００−２  受信装置
１０２  制御部
１０２ａ  映像データ取得部
１０２ｂ  ネットワーク送信部
１０２ｃ  ネットワーク受信部
１０２ｄ  発生器同期信号取得部
１０２ｅ  同期信号生成部
１０２ｆ  同期信号選択部
１０２ｇ  映像出力クロック選択部
１０２ｈ  出力制御部
１０６  記憶部
２００  同期信号発生器
３００  ネットワーク
４００  撮影装置
５００  出力装置
【図１】
2017092811.tif 000003
【図２】
2017092811.tif 000004
【図３】
2017092811.tif 000005
【図４】
2017092811.tif 000006
【図５】
2017092811.tif 000007
【図６】
2017092811.tif 000008
【図７】
2017092811.tif 000009
【図８】
2017092811.tif 000010
【手続補正書】
【提出日】平成29年3月3日(2017.3.3)
【手続補正１】
【補正対象書類名】特許請求の範囲
【補正対象項目名】全文
【補正方法】変更
【補正の内容】
【特許請求の範囲】
【請求項１】
自身に同期信号発生器が接続されているときは自身がマスタデコーダであると判定する一方で、自身に前記同期信号発生器が接続されていないときは自身がスレーブデコーダであると判定する複数のデコーダモジュールを備え、
前記複数のデコーダモジュールのうちの前記マスタデコーダは、
前記同期信号発生器から供給されるリファレンス信号に基づいて、映像データを同期させる発生器同期信号を取得する発生器同期信号取得手段と、
前記発生器同期信号を選択同期信号として選択し、内部バスを介して前記スレーブデコーダに送出する同期信号選択手段と、
前記選択同期信号に基づいて、前記映像データを出力させるマスタ出力制御手段と、
を備え、
前記複数のデコーダモジュールのうちの前記スレーブデコーダは、
前記マスタデコーダから送出される前記選択同期信号に基づいて、前記映像データを出力させるスレーブ出力制御手段、
を備えたことを特徴とする、映像処理装置。
【請求項２】
前記マスタデコーダは、
前記発生器同期信号とは異なるマスタ同期信号を生成する同期信号生成手段、
を更に備え、
前記同期信号選択手段は、
前記発生器同期信号、または、前記マスタ同期信号を前記選択同期信号として選択し、前記内部バスを介して前記スレーブデコーダに送出する、請求項１に記載の映像処理装置。
【請求項３】
前記スレーブ出力制御手段は、
前記選択同期信号に基づいて、映像出力クロックおよびフレーム先頭を同期させて、前記映像データを出力させる、請求項１または２に記載の映像処理装置。
【請求項４】
前記マスタ出力制御手段は、
前記選択同期信号に基づいて、映像出力クロックおよびフレーム先頭を同期させて、前記映像データを出力させる、請求項１から３のいずれか一つに記載の映像処理装置。
【請求項５】
前記デコーダモジュールは、
前記映像データの映像フォーマットに基づいて、前記映像出力クロックを選択する映像出力クロック選択手段、
を更に備えた、請求項３または４に記載の映像処理装置。
【請求項６】
前記リファレンス信号は、
同期信号発生器に接続された前記映像データを撮影する撮影装置に、当該同期信号発生器から、供給されるリファレンス信号と一致する信号である、請求項１から５のいずれか一つに記載の映像処理装置。
【請求項７】
同期信号発生器に接続された映像データを撮影する撮影装置、に接続された送信装置、および、自身に前記同期信号発生器が接続されているときは自身がマスタデコーダであると判定する一方で、自身に前記同期信号発生器が接続されていないときは自身がスレーブデコーダであると判定する複数のデコーダモジュールを備えた受信装置を備え、
前記送信装置は、
前記同期信号発生器から供給されるリファレンス信号から取得される発生器同期信号に基づいて、前記撮影装置から送出される前記映像データを取得する映像データ取得手段と、
前記映像データを、ネットワークを介して送信するネットワーク送信手段と、
を備え、
前記受信装置は、
前記映像データを前記ネットワークを介して受信するネットワーク受信手段と、
前記マスタデコーダに接続された前記同期信号発生器から供給されるリファレンス信号に基づいて、前記映像データを同期させる発生器同期信号を取得する発生器同期信号取得手段、
前記発生器同期信号を選択同期信号として選択し、内部バスを介して前記スレーブデコーダに送出する同期信号選択手段、および、
前記選択同期信号に基づいて、前記映像データを出力させるマスタ出力制御手段、
を備えた前記マスタデコーダである前記デコーダモジュールと、
前記マスタデコーダから送出される前記選択同期信号に基づいて、映像データを出力させるスレーブ出力制御手段、
を備えた前記スレーブデコーダである前記デコーダモジュールと、
を備えたことを特徴とする、映像処理システム。
【請求項８】
前記マスタデコーダは、
前記発生器同期信号とは異なるマスタ同期信号を生成する同期信号生成手段、
を更に備え、
前記同期信号選択手段は、
前記発生器同期信号、または、前記マスタ同期信号を前記選択同期信号として選択し、前記内部バスを介して前記スレーブデコーダに送出する、請求項７に記載の映像処理システム。
【請求項９】
前記スレーブ出力制御手段は、
前記選択同期信号に基づいて、映像出力クロックおよびフレーム先頭を同期させて、前記映像データを出力させる、請求項７または８に記載の映像処理システム。
【請求項１０】
前記マスタ出力制御手段は、
前記選択同期信号に基づいて、映像出力クロックおよびフレーム先頭を同期させて、前記映像データを出力させる、請求項７から９のいずれか一つに記載の映像処理システム。
【請求項１１】
前記デコーダモジュールは、
前記映像データの映像フォーマットに基づいて、前記映像出力クロックを選択する映像出力クロック選択手段、
を更に備えた、請求項９または１０に記載の映像処理システム。
【請求項１２】
前記受信装置に供給される前記リファレンス信号は、
前記撮影装置に供給される前記リファレンス信号と一致する信号である、請求項７から１１のいずれか一つに記載の映像処理システム。
【請求項１３】
自身に同期信号発生器が接続されているときは自身がマスタデコーダであると判定する一方で、自身に前記同期信号発生器が接続されていないときは自身がスレーブデコーダであると判定する複数のデコーダモジュールを備えた映像処理装置において実行される映像処理方法であって、
前記複数のデコーダモジュールのうちの前記マスタデコーダにおいて実行される、前記同期信号発生器から供給されるリファレンス信号に基づいて、映像データを同期させる発生器同期信号を取得する発生器同期信号取得ステップと、
前記複数のデコーダモジュールのうちの前記マスタデコーダにおいて実行される、前記発生器同期信号を選択同期信号として選択し、内部バスを介して前記スレーブデコーダに送出する同期信号選択ステップと、
前記複数のデコーダモジュールのうちの前記マスタデコーダにおいて実行される、前記選択同期信号に基づいて、前記映像データを出力させるマスタ出力制御ステップと、
前記複数のデコーダモジュールのうちの前記スレーブデコーダにおいて実行される、前記マスタデコーダから送出される前記選択同期信号に基づいて、映像データを出力させるスレーブ出力制御ステップと、
を含むことを特徴とする、映像処理方法。
【請求項１４】
前記マスタデコーダにおいて実行される、前記発生器同期信号とは異なるマスタ同期信号を生成する同期信号生成ステップ、
を更に含み、
前記同期信号選択ステップにて、
前記発生器同期信号、または、前記マスタ同期信号を前記選択同期信号として選択し、前記内部バスを介して前記スレーブデコーダに送出する、請求項１３に記載の映像処理方法。
【請求項１５】
前記スレーブ出力制御ステップにて、
前記選択同期信号に基づいて、映像出力クロックおよびフレーム先頭を同期させて、前記映像データを出力させる、請求項１３または１４に記載の映像処理方法。
【請求項１６】
前記マスタ出力制御ステップにて、
前記選択同期信号に基づいて、映像出力クロックおよびフレーム先頭を同期させて、前記映像データを出力させる、請求項１３から１５のいずれか一つに記載の映像処理方法。
【請求項１７】
前記デコーダモジュールにおいて実行される、前記映像データの映像フォーマットに基づいて、前記映像出力クロックを選択する映像出力クロック選択ステップ、
を更に含む、請求項１５または１６に記載の映像処理方法。
【請求項１８】
前記リファレンス信号は、
同期信号発生器に接続された前記映像データを撮影する撮影装置に、当該同期信号発生器から、供給されるリファレンス信号と一致する信号である、請求項１３から１７のいずれか一つに記載の映像処理方法。